(57)【要約】【課題】  簡単な構成で妨害波放射レベルを低減するとともに外部ノイズの影響を受けにくい画像読取装置及びこの画像読取装置を備えた画像形成装置を提供する。【解決手段】  原稿を光学的に読取り、画像データとして取得する画像読取装置において、金属等の導電性の機枠２と、画像データの取得に関与する光学部品の少なくとも一部が搭載されるとともに前記機枠２に対して移動可能に設けられた移動枠体４、５と、機枠と移動枠体とを電気的に接続し両者を略等電位とする接続部材２１とを備える構成としている。  上記接続部材２１は、少なくとも、画像読取開始位置において、移動枠体と機枠を接続するように設けられる。  この構成によれば、移動枠体と機枠とを等電位とすることができるため、妨害波放射レベルが低減できるとともに、外部ノイズによる誤動作等の発生を抑制することができる。【選択図】  図１
2006049962.tif 000002
【特許請求の範囲】
【請求項１】
原稿を光学的に読取り、画像データとして取得する画像読取装置において、
導電性の機枠と、
画像データの取得に関与する光学部品の少なくとも一部が搭載されるとともに、前記機枠に対して移動可能に設けられた移動枠体と、
機枠と移動枠体とを電気的に接続し、両者を略等電位とする接続部材と、
を備えたことを特徴とする画像読取装置。
【請求項２】
前記接続部材が、少なくとも、前記移動枠体が原稿の読取りを開始する原稿読取開始位置にあるときに、移動枠体と機枠とを電気的に接続する請求項１に記載の画像読取装置。
【請求項３】
請求項１または２に記載の画像読取装置を備えた画像形成装置。
【発明の詳細な説明】
【技術分野】
【０００１】
本発明は、画像読取装置及び画像形成装置に関し、特に、画像データの取得に関与する光学部品の少なくとも一部が、機枠に対して移動可能に設けられた画像読取装置及びこの画像読取装置を備えた画像形成装置に関する。
【背景技術】
【０００２】
複写機等の画像形成装置に搭載されるフラットベッド方式の画像読取装置は、光源、集光レンズ、ミラー、受光素子等の光学部品や当該光学部品を制御する回路基板が、一つまたは２つの移動枠体に搭載され、この移動枠体が、原稿台の下面に沿って移動することで、原稿台に載置された原稿を画像データとして取得する。
【０００３】
上記構成において、移動枠体に搭載された回路基板の接地は、機枠側（以下、本体側という。）に設けられた回路基板のグランドと配線により電気的に接続される。また、画像読取装置が、移動枠体と金属製の機枠とが移動枠体を駆動する駆動ワイヤによって接続された構成である場合には、移動枠体側の回路基板のグランドが移動枠体に接続されることで接地が行われている。
【０００４】
しかしながら、上記配線には、移動枠体の移動の妨げにならない十分な長さを有するフレキシブルフラットケーブル等が使用される。このため、移動枠体に搭載された回路基板と本体側回路基板のグランドとの間には、当該配線のインダクタンスや抵抗等が介在することになり、十分な接地を得ることができなかった。また、上記駆動ワイヤを利用した接地においても、通常、駆動ワイヤは１ｍｍ程度の径であるため、移動枠体は当該駆動ワイヤのインダクタンスや抵抗を介して機枠に接続されることになり、十分な接地を得ることができなかった。このように、移動機枠側の回路基板の接地が不充分であるために、当該回路基板は、ＥＭＩ（Electro Magnetic Interference）等の妨害波放射レベルの増大や、逆に、静電気等の外部ノイズにより誤作動を生じる可能性があるなどの問題があった。
【０００５】
上記問題の対策として、後掲の特許文献１には、配線を介した妨害波の放射や外部ノイズの受信を抑制するために、移動枠体上の回路基板と、本体側の回路基板との間を接続する配線をなくす構成が提案されている。すなわち、本体側の回路基板から移動枠体側の回路基板に伝送する情報、及び、移動枠体側の回路基板から本体側の回路基板に伝送する情報を蓄積するメモリが移動枠体に搭載されるとともに、移動枠体が特定の位置にあるときのみ両基板を接続するコネクタが設けられ、当該コネクタが接続された状態にあるときに、一括で情報の授受を行う構成、あるいは、無線通信により移動枠体側の回路基板と本体側の回路基板との間の情報の授受を行う構成が開示されている。
【特許文献１】特開２００３−１１０８２１号公報
【発明の開示】
【発明が解決しようとする課題】
【０００６】
しかしながら、上記特許文献１の構成によれば、移動枠体上に大容量のメモリを設ける、あるいは、本体側の回路基板と移動枠体側の回路基板との間で情報の授受を行う送受信装置を設ける必要があり、製造コストが増大すると共に画像データを取得する制御が複雑になるという問題があった。
【０００７】
本発明は、上記従来の事情に基づいて提案されたものであって、簡単な構成で妨害波放射レベルを低減するとともに外部ノイズの影響を受けにくい画像読取装置及びこの画像読取装置を備えた画像形成装置を提供することを目的とする。
【課題を解決するための手段】
【０００８】
本発明は、上記目的を達成するために以下の手段を採用している。すなわち、本発明は、原稿を光学的に読取り、画像データとして取得する画像読取装置において、導電性の機枠と、画像データの取得に関与する光学部品の少なくとも一部が搭載されるとともに前記機枠に対して移動可能に設けられた移動枠体と、機枠と移動枠体とを電気的に接続し両者を略等電位とする接続部材とを備える構成としている。
【０００９】
上記接続部材としては、例えば、移動枠体に設けられた弾性を有する導電板を使用することができ、当該導電板が移動枠体の移動範囲の全体にわたって当該移動枠体が支持されている機枠の側壁（主走査方向に位置する側壁）及び／又は機枠の底面に接触する構成を採用することができる。
【００１０】
この構成によれば、移動枠体が移動範囲内のいずれの位置に存在しても、移動枠体と機枠とが等電位になるため、妨害波放射レベルを低減できるとともに、外部ノイズによる誤動作等の発生を抑制することができる。
【００１１】
一方、オフィス等、画像読取装置の電源が常時オンの状態で使用されるような状況下では、特に、電源オンの間の大部分を占める待機状態（例えば、移動枠体が画像読取開始位置等のホームポジションにある状態）における妨害波放射レベルや、外部ノイズに対する耐性が問題となる。
【００１２】
このような場合、フラットベッド方式の画像読取開始位置やシートスルー方式（移動枠体は特定の位置に固定され、原稿が移動枠体に対して相対的に移動する画像読取方式）の画像読取開始位置との少なくとも一方、好ましくは両方において、上記移動枠体と機枠とが接続部材で接続される構成を採用することもできる。
【００１３】
すなわち、前記接続部材が、例えば、移動枠体に設けられた弾性を有する導電板で構成され、前記導電板が、移動枠体が原稿の読取りを開始する原稿読取開始位置にあるときに、移動枠体の復動方向に位置する機枠の側壁（副走査方向に位置する側壁）に接触する。
【００１４】
このとき、上記シートスルー方式の画像読取開始位置を、フラットベッド方式の画像読取開始位置の近傍とし、両方式のいずれの画像読取開始位置においても、同一の導電板が弾性変形可能な範囲で機枠に接触する構成にすることが好ましい。
なお、上記構成の画像読取装置を複写機等の画像形成装置に適用してもよいことは勿論である。
【発明の効果】
【００１５】
本発明によれば、簡単な構成で妨害波放射レベルの低減できるとともに、外部ノイズの影響を受けにくくすることができる。
また、少なくとも画像読取開始位置において、接続部材が機枠と移動枠体とを接続する構成とすれば、待機状態における妨害波放射レベルを低減できるとともに、外部ノイズの影響を受けにくくすることができる。
【発明を実施するための最良の形態】
【００１６】
以下、本発明の実施の形態を図面にしたがって詳細に説明する。なお、図１は、本発明にかかる画像読取装置の概略斜視図であり、図２は、本発明に係る画像読取装置の断面図である。また、図３は、本発明に係る画像読取装置に適用した接続部材の斜視図である。
【００１７】
図１及び図２（ａ）に示すように、本発明にかかる画像読取装置１は、上面に原稿が載置される原稿台３を備え、他の面が金属等の導電体で構成された、例えば、直方体状の機枠２を有している。
【００１８】
機枠２内には、第１の移動枠体４と第２の移動枠体５が、例えば、原稿台３に沿って機枠２の長辺方向（以下、副走査方向という。）に往復移動が可能に、かつ、短辺方向（以下、主走査方向という。）の幅全体わたって設けられている。ここで、上記両移動枠体４、５を移動自在に配設する機構には、任意の構造を採用すればよく、例えば、機枠２の主走査方向の側壁にそれぞれ副走査方向に伸びる断面コ字形のガイドレールを設けるとともに、移動枠体４、５の主走査方向の両端部に当該ガイドレール内を摺動する、例えば底面が球形の樹脂等からなる摺動部材を設ける等の構成を採用することができる。
【００１９】
上記第１の移動枠体４には、原稿台３に対し光を出射する線状光源６と、この線状光源６から出射された後、原稿台３上に載置された原稿によって反射された光を、原稿台３に平行かつ第１の移動枠体４の復動側に設けられた第２の移動枠体５の方向に反射する第１のミラー７とが主走査方向の幅全体にわたって設けられている。
【００２０】
また、第２の移動枠体５には、上記第１の移動枠体４の第１のミラー７により反射された光を、下方に９０度反射させる第２のミラー８と、第２のミラー８により反射された光を更に９０度反射させる第３のミラー９とが主走査方向の幅全体にわたって設けられている。すなわち、第１のミラー７に反射された光は、第２、第３のミラー８、９によって移動枠体４、５の往動方向に反射されることになる。
【００２１】
第２の移動枠体５の第３のミラー９により反射された光は、当該光の進行方向に設けられたレンズ１０により、機枠２内に主走査方向に線状に配置されたＣＣＤイメージセンサ等の撮像素子１１上に結像される。そして、当該撮像素子１１によって受光された光は電気信号に変換され、画像データが取得される。
一方、図１及び図２（ｂ）に示すように、第１及び第２の移動枠体４、５には、両移動枠体４、５を駆動するための駆動ワイヤ１２が、主走査方向の両端部にそれぞれ配置されている。
【００２２】
この駆動ワイヤ１２は、一端部が機枠２の底部の適所に配設された第１の固定部１３に固定され、その他端が機枠２の復動側側壁に配設された第２の固定部１４に張力付与用のバネ１５を介して固定されている。また、この駆動ワイヤ１２は、第１の固定部１３側から順次、第２の移動枠体５の主走査方向の端部に回転自在に設けられた２連プーリ１６の内側プーリ、機枠２の往動側側壁に回転自在に設けられた固定プーリ１７、駆動手段であるモータからの駆動力が伝達される駆動プーリ１８、機枠２の復動側側壁に回転自在に設けられた固定プーリ１９、第２の移動枠体５に設けられた２連プーリ１６の外側プーリに巻き掛けられて、第２の固定部１４のバネ１５に連結されている。
【００２３】
また、上記第１の移動枠体４は、上記２連プーリ１６の内側プーリと固定プーリ１７との間の駆動ワイヤ１２に固定されており、両移動枠体４、５が撮像素子１１から原稿台３上の原稿までの光路長を一定に保ちつつ移動されるように構成されている。
【００２４】
さて、本発明では、上記構成の画像読取装置１において、第１の移動枠体４と第２の移動枠体５がフラットベッド方式の原稿読取開始位置（以下、ホームポジションという。）にあるときに、機枠２の復動側側壁と、両移動枠体４、５とを電気的に等電位として接続する接続部材であるステンレス等の金属製の導電板２１（２１ａ、２１ｂ）が第１の移動枠体４と第２の移動枠体５のそれぞれに設けられている。
【００２５】
この導電板２１は、図３に示すように、例えば、長方形の板材の一辺から対向する辺に向かって複数の切り込み２２が板材の途中まで設けられた構造を有し、切り込み２２により分割された各枝部２３の遊端部２４が、その先端から所定幅の範囲でＵ字形に曲げられ往復方向に弾性を有した構造にしている。そして、この導電板２１の基端部２５が、遊端部２４が復動側に向けられた状態で第１及び第２の移動枠体４、５にネジ２６を用いて固定される。
【００２６】
このとき、上記導電板２１ａの長さが、ホームポジションに位置する第１の移動枠体４と、機枠２の復動側側壁との間隔よりも若干長くなるように移動枠体４に上記導電板２１ａを取り付け、第１の移動枠体４がホームポジションに位置するとき、その先端が復動側の側壁に当接する構成とする。同様に、上記導電板２１ｂの長さが、ホームポジションに位置する第２の移動枠体５と、機枠２の復動側側壁との間隔よりも若干長くなるように移動枠体５に上記導電板２１ｂを取り付け、第２の移動枠体５がホームポジションに位置するとき、その先端が復動側の側壁に当接する構成とする。
【００２７】
この構成により、両移動枠体４、５がホームポジションに位置するとき、当該両移動枠体４、５は機枠２に確実に電気的に接続されることになり、等電位とすることができる。
【００２８】
なお、図１の例では、移動枠体４、５のそれぞれに、同幅の導電板２１を重なりなく配置した状態を示しているが、導電板２１の全幅はできるだけ幅広であることが好ましい。このようにすれば、導電板２１が移動枠体４、５と機枠２とを接続したときに、機枠２と移動枠体４、５とを確実に等電位とすることが可能である。
【００２９】
以上説明したように、本発明によれば、ホームポジションにある移動枠体４、５は機枠２と等電位となるため、移動枠体４に配置された回路基板（上記の例では、発光制御基板）の接地を移動枠体４に接続して行うことで、インダクタンス及び抵抗成分を介すことのない良好な接地が得られるため、妨害波放射レベルを低下させるとともに、外部ノイズによる誤動作を減少させることができる。
【００３０】
また、図４の断面図に示すように、画像読取装置１が、上記構成に加えてシートスルー方式の自動原稿送り装置３０を備える場合、この自動原稿送り装置３０の原稿読取開始位置Ａ（ここでは、原稿読取時に移動枠体４が固定される特定の位置）は、移動枠体４、５を上記ホームポジションから僅かに往動側に移動させた位置となるように設定されることが好ましい。このようにすれば、シートスルー方式の原稿読取開始位置において、上記導電板２１が機枠２と移動枠体４、５を接続できるとともに、導電板２１が、弾性変形可能な範囲内で上記ホームポジションでの機枠２と両移動枠体４、５とを接続を行うことができる（図３に、破線で示す。）。すなわち、シートスルー方式の自動原稿送り装置３０の使用中にも、良好な接地を確保することが可能となり、妨害波放射レベルを低下させるとともに、外部ノイズに対する耐性を向上させることができる。
【００３１】
さらに、図５に示すように、両移動枠体４、５が、上述の光路を妨げることのない位置で上記機枠２の主走査方向の側壁及び／又は機枠２の底面に接触する導電板３１を備える構成とすれば、フラットベッド方式で原稿台３上に配置された原稿の読取を行う動作中にも良好な接地を確保することができ、妨害波放射レベルを低減することができるとともに、外部ノイズに対する耐性を向上させることができる。この場合、両移動枠体４、５と機枠２の復動側側壁とを接続する上記導電板２１は、必要に応じて設けるようにしてもよい。
【００３２】
なお、上記で説明した導電板の構造および配置は、具体例を示したものであり、本発明の技術的範囲を限定するものではない。本発明の効果を奏する範囲において任意に設計することが可能である。
【００３３】
また、上記の説明では、線状光源６と第１のミラー７とが搭載された移動枠体４、及び第２、第３のミラー８、９が搭載された移動枠体５の２つの移動枠体を備えた画像読取装置について説明したが、上記構成に限定されるものではなく、１つの移動枠体上に全ての光学部品が配置された構成や、１つの移動枠体上に線状光源とミラーが配置され、当該ミラーに反射された光を撮像素子が画像データとして取得する構成であっても、同様の効果を奏することができる。
さらに、本発明は、画像読取装置だけでなく、画像読取機能を有する複写機等の画像形成装置に適用できることは勿論である。
【産業上の利用可能性】
【００３４】
本発明にかかる画像読取装置は、簡単な構成で妨害波放射レベルの低減及び外部ノイズの影響を抑制することができるという効果を有し、画像読取装置及びこの画像読取装置を備えた各種機器等として有用である。
【図面の簡単な説明】
【００３５】
【図１】本発明にかかる画像読取装置の概略斜視図。
【図２】本発明にかかる画像形成装置の断面図。
【図３】本発明にかかる接続部材を示す斜視図。
【図４】本発明にかかる画像形成装置の変形例の断面図。
【図５】本発明にかかる画像形成装置の変形例の断面図。
【符号の説明】
【００３６】
１  画像読取装置
２  機枠
３  原稿台
４、５  移動枠体
６  線状光源
７、８、９  ミラー
１０  レンズアレイ
１１  撮像素子
１２  駆動ワイヤ
２１、３１  導電板（接続部材）
【図１】
2006049962.tif 000003
【図２】
2006049962.tif 000004
【図３】
2006049962.tif 000005
【図４】
2006049962.tif 000006
【図５】
2006049962.tif 000007